(57)【特許請求の範囲】
【請求項１】
平坦な上面を有する装置本体と、
この装置本体上に配置した被穿孔材を直線状凹部に沿って直線状にガイドする長尺の穿孔ガイド機構部と、
一端側の軸支用基部が前記装置本体の一端側において軸支部により回転可能に軸支されるとともに、前記軸支用基部から突設した先端部に孔開刃を有する刃体部を前記穿孔ガイド機構部の直線状凹部に臨ませた長尺の穿孔刃体と、
この穿孔刃体を回転駆動する駆動源と、
前記穿孔ガイド機構部の直線状凹部に沿ってスライド可能に配置されるとともに、前記穿孔刃体の刃体部を回転可能に貫通させた刃体部ぶれ防止ガイド体と、
を有し、
前記長尺の穿孔ガイド機構部における直線状凹部によりガイドされつつその一端側から駆動源側の一端に向けて押し込まれる被穿孔材である長尺の直方体状、長尺の端面台形状又は長尺の丸棒状のいずれかの形状を有する長尺発泡材に対して、前記刃体部ぶれ防止ガイド体により穿孔刃体の刃体部のぶれを防止しつつ前記穿孔刃体の回転によりその一端側から他端まで長手方向に貫通する長孔を穿設するようにしたことを特徴とする長尺発泡材の穿孔装置。
【請求項２】
平坦な上面を有する装置本体と、
この装置本体上に配置した被穿孔材を直線状凹部に沿って直線状にガイドする長尺の穿孔ガイド機構部と、
一端側の軸支用基部が前記装置本体の一端側において軸支部により回転可能に軸支されるとともに、前記軸支用基部から突設した先端部に孔開刃を有する刃体部を前記穿孔ガイド機構部の直線状凹部に臨ませた長尺の穿孔刃体と、
この穿孔刃体を回転駆動する駆動源と、
前記穿孔ガイド機構部の直線状凹部に沿ってスライド可能に配置されるとともに、前記穿孔刃体の刃体部を回転可能に貫通させた刃体部ぶれ防止ガイド体と、
前記長尺の穿孔ガイド機構部を跨ぐ状態で、かつ、前記直線状凹部上方に回転可能に配置した抑えローラを有し、この抑えローラにより被穿孔材である長尺発泡材の外周上端を抑えて位置規制を行う抑え機構部と、
前記長尺発泡材の一端側に吸引口を臨ませた穿孔屑吸引装置と、
を有し、
前記長尺の穿孔ガイド機構部における直線状凹部によりガイドされつつその一端側から駆動源側の一端側に向けて押し込まれ、前記刃体部ぶれ防止ガイド体を直線状凹部に沿って移動する被穿孔材である長尺の直方体状、長尺の端面台形状又は長尺の丸棒状のいずれかの形状を有する長尺発泡材に対して、前記刃体部ぶれ防止ガイド体により穿孔刃体の刃体部のぶれを防止し、かつ、前記抑え機構部により長尺発泡材の位置規制を行いつつ前記穿孔刃体の回転によりその一端側から他端まで長手方向に貫通する長孔を穿設するとともに穿孔屑吸引装置により穿孔屑を吸引除去するようにしたことを特徴とする長尺発泡材の穿孔装置。
【請求項３】
平坦な上面を有する装置本体と、
この装置本体上に配置した被穿孔材を直線状凹部に沿って直線状にガイドする長尺の穿孔ガイド機構部と、
一端側の軸支用基部が前記装置本体の一端側において軸支部により回転可能に軸支されるとともに、前記軸支用基部から突設した先端部に孔開刃を有する刃体部を前記穿孔ガイド機構部の直線状凹部に臨ませた長尺の穿孔刃体と、
この穿孔刃体を回転駆動する駆動源と、
前記穿孔ガイド機構部の直線状凹部に沿ってスライド可能に配置されるとともに、前記穿孔刃体の刃体部を回転可能に貫通させた刃体部ぶれ防止ガイド体と、
前記長尺の穿孔ガイド機構部を跨ぐ状態で、かつ、前記直線状凹部上方に回転可能に配置した抑えローラを有し、この抑えローラにより被穿孔材である全長３０ｃｍ乃至２ｍの範囲で、長尺の直方体状、長尺の端面台形状又は長尺の丸棒状のいずれかの形状を有する発泡ポリスチレンからなる長尺発泡材の外周上端を抑えて位置規制を行う抑え機構部と、
前記長尺発泡材の一端側に吸引口を臨ませた穿孔屑吸引装置と、
を有し、
前記長尺の穿孔ガイド機構部における直線状凹部によりガイドされつつその一端側から駆動源側の一端側に向けて押し込まれ、前記刃体部ぶれ防止ガイド体を直線状凹部に沿って移動する前記長尺発泡材に対して、前記刃体部ぶれ防止ガイド体により穿孔刃体の刃体部のぶれを防止し、かつ、前記抑え機構部により全長３０ｃｍ乃至２ｍの範囲の発泡ポリスチレンからなる長尺発泡材の位置規制を行いつつ前記穿孔刃体の回転によりその一端側から他端まで長手方向に貫通する長孔を穿設するとともに穿孔屑吸引装置により穿孔屑を吸引除去するようにしたことを特徴とする長尺発泡材の穿孔装置。
【請求項４】
平坦な上面を有する装置本体上に配置した穿孔ガイド機構部に設けた直線状凹部の他端側に被穿孔材である長尺の直方体状、長尺の端面台形状又は長尺の丸棒状のいずれかの形状を有する長尺発泡材を臨ませる工程と、
装置本体の一端側において軸支部により回転可能に軸支されるとともに、前記軸支用基部から突設した先端部に孔開刃を有する刃体部を前記穿孔ガイド機構部の直線状凹部に臨ませた長尺の穿孔刃体を駆動源により回転駆動する工程と、
被穿孔材である長尺発泡材を前記長尺の穿孔ガイド機構部における直線状凹部によりガイドさせつつその一端側から駆動源側の一端側に向けて押し込み、前記穿孔刃体の回転によりその一端側から他端まで長手方向に貫通する長孔を穿設する工程と、
前記穿孔ガイド機構部の直線状凹部に沿ってスライド可能に配置されるとともに、前記穿孔刃体の刃体部を回転可能に貫通させた刃体部ぶれ防止ガイド体を前記長尺発泡材の押し込みとともに駆動源側の一端側に向けてスライドさせつつ前記刃体部のぶれを防止する工程と、
前記長尺発泡材の一端側に吸引口を臨ませた穿孔屑吸引装置により長尺発泡材の穿孔屑を除去する工程と、
を含むことを特徴とする長尺発泡材の穿孔方法。
【請求項５】
平坦な上面を有する装置本体上に配置した穿孔ガイド機構部に設けた直線状凹部の他端側に被穿孔材である長尺の直方体状、長尺の端面台形状又は長尺の丸棒状のいずれかの形状を有する長尺発泡材を臨ませる工程と、
装置本体の一端側において軸支部により回転可能に軸支されるとともに、前記軸支用基部から突設した先端部に孔開刃を有する刃体部を前記穿孔ガイド機構部の直線状凹部に臨ませた長尺の穿孔刃体を駆動源により回転駆動する工程と、
被穿孔材である長尺発泡材を前記長尺の穿孔ガイド機構部における直線状凹部によりガイドさせつつその一端側から駆動源側の一端側に向けて押し込み、前記穿孔刃体の回転によりその一端側から他端まで長手方向に貫通する長孔を穿設する工程と、
前記穿孔ガイド機構部の直線状凹部に沿ってスライド可能に配置されるとともに、前記穿孔刃体の刃体部を回転可能に貫通させた刃体部ぶれ防止ガイド体を前記長尺発泡材の押し込みとともに駆動源側の一端側に向けてスライドさせつつ前記刃体部のぶれを防止する工程と、
前記長尺の穿孔ガイド機構部を跨ぐ状態で、かつ、前記直線状凹部上方に回転可能に配置した抑え機構部の抑えローラにより被穿孔材である長尺発泡材の外周上端を抑えて位置規制を行う工程と、
前記長尺発泡材の一端側に吸引口を臨ませた穿孔屑吸引装置により長尺発泡材の穿孔屑を除去する工程と、
を含むことを特徴とする長尺発泡材の穿孔方法。
【請求項６】
平坦な上面を有する装置本体上に配置した穿孔ガイド機構部に設けた直線状凹部の他端側に被穿孔材である全長３０ｃｍ乃至２ｍの範囲で、長尺の直方体状、長尺の端面台形状又は長尺の丸棒状のいずれかの形状を有する発泡ポリスチレンからなる長尺発泡材を臨ませる工程と、
装置本体の一端側において軸支部により回転可能に軸支されるとともに、前記軸支用基部から突設した先端部に孔開刃を有する刃体部を前記穿孔ガイド機構部の直線状凹部に臨ませた長尺の穿孔刃体を駆動源により回転駆動する工程と、
被穿孔材である全長３０ｃｍ乃至２ｍの範囲の発泡ポリスチレンからなる長尺発泡材を前記長尺の穿孔ガイド機構部における直線状凹部によりガイドさせつつその一端側から駆動源側の一端側に向けて押し込み、前記穿孔刃体の回転によりその一端側から他端まで長手方向に貫通する長孔を穿設する工程と、
前記穿孔ガイド機構部の直線状凹部に沿ってスライド可能に配置されるとともに、前記穿孔刃体の刃体部を回転可能に貫通させた刃体部ぶれ防止ガイド体を前記長尺発泡材の押し込みとともに駆動源側の一端側に向けてスライドさせつつ前記刃体部のぶれを防止する工程と、
前記長尺の穿孔ガイド機構部を跨ぐ状態で、かつ、前記直線状凹部上方に回転可能に配置した抑え機構部の抑えローラにより被穿孔材である長尺発泡材の外周上端を抑えて位置規制を行う工程と、
前記長尺発泡材の一端側に吸引口を臨ませた穿孔屑吸引装置により長尺発泡材の穿孔屑を除去する工程と、
を含むことを特徴とする長尺発泡材の穿孔方法。
【請求項７】
請求項１乃至３のいずれか１項に記載の穿孔装置により製造した長尺発泡材。
【請求項８】
請求項４乃至６のいずれか１項に記載の穿孔方法により製造した長尺発泡材。
【発明の詳細な説明】
【技術分野】
【０００１】
本発明は、一端から他端まで長手方向に貫通する良好な長孔を穿孔した長尺発泡材、この長尺発泡材の穿孔装置及び穿孔方法に関するものである。
【背景技術】
【０００２】
従来、長孔を穿孔した長尺材としては、例えば水道管等に使用されるようなポリエチレン材が存在するが、この種のポリエチレン材への穿孔は主として型成形等の手段により行なわれるものであり、本発明のような発泡ポリスチレンからなる長尺発泡材に、その長手方向に沿って一端から他端まで貫通して、内部に長孔を穿孔してなる長尺発泡材、その穿孔装置及び穿孔方法は従来存在しなかった。
【０００３】
特許文献１には、圧縮した弾性発泡体に、回転する刃物を当てて穴を開けた後、弾性発泡体の圧縮を解除して元の形状に復元させることで弾性発泡体に長穴を穿設するようにした弾性発泡体の穴開け方法が開示されている。
【０００４】
しかし、この特許文献１の場合、穿孔の対象となる弾性発泡体はかなり体積のあるものであり、本発明のような長尺発泡材への穿孔技術ではないとともに、特許文献１の場合、圧縮した弾性発泡体に穿孔した後、圧縮を解除して元の形状に復元させるものであることから、このような特許文献１の技術により本発明のような長尺発泡材への穿孔は不可能である。
【特許文献１】特開平８−１２６９９７号公報
【発明の開示】
【発明が解決しようとする課題】
【０００５】
本発明が解決しようとする問題点は、全長数十ｃｍから数ｍに至るような長寸法で良好な貫通孔を有する長尺発泡材、更には、全長数十ｃｍから数ｍに至るような長寸法の長尺発泡材の場合でも、その一端から他端まで長手方向に貫通する良好な長孔を穿孔できる穿孔装置、穿孔方法が存在しない点である。
【課題を解決するための手段】
【０００６】
本発明の長尺発泡材の穿孔装置は、平坦な上面を有する装置本体と、この装置本体上に配置した被穿孔材を直線状凹部に沿って直線状にガイドする長尺の穿孔ガイド機構部と、一端側の軸支用基部が前記装置本体の一端側において軸支部により回転可能に軸支されるとともに、前記軸支用基部から突設した先端部に孔開刃を有する刃体部を前記穿孔ガイド機構部の直線状凹部に臨ませた長尺の穿孔刃体と、この穿孔刃体を回転駆動する駆動源と、前記穿孔ガイド機構部の直線状凹部に沿ってスライド可能に配置されるとともに、前記穿孔刃体の刃体部を回転可能に貫通させた刃体部ぶれ防止ガイド体と、を有し、前記長尺の穿孔ガイド機構部における直線状凹部によりガイドされつつその一端側から駆動源側の一端に向けて押し込まれる被穿孔材である長尺の直方体状、長尺の端面台形状又は長尺の丸棒状のいずれかの形状を有する長尺発泡材に対して、前記刃体部ぶれ防止ガイド体により穿孔刃体の刃体部のぶれを防止しつつ前記穿孔刃体の回転によりその一端側から他端まで長手方向に貫通する長孔を穿設するようにしたことを最も主要な特徴とする。
【発明の効果】
【０００７】
請求項１乃至３記載の発明によれば、穿孔ガイド機構部における直線状凹部によりガイドされつつその他端側から駆動源側の一端に向けて押し込まれる長寸法の長尺発泡材、すなわち全長３０ｃｍ乃至２ｍの範囲で、長尺の直方体状、長尺の端面台形状又は長尺の丸棒状のいずれかの形状を有する発泡ポリスチレンからなる長尺発泡材に対して、その一端側から他端まで長手方向に貫通する長孔を穿設することができ、この場合に刃体部ぶれ防止ガイド体により穿孔刃体の刃体部のぶれが防止されるので、良好な真直穿孔状態の長孔を得ることができる長尺発泡材の穿孔装置を提供することができる。また、抑え機構部の抑えローラにより長尺発泡材の外周上端を抑えて位置規制を行う構成とすることにより、長孔の真直度をより高めることができる長尺発泡材の穿孔装置を提供することができる。更に、穿孔屑吸引装置を備える構成とすることにより、長尺発泡材に対する穿孔により生じる穿孔屑の除去も万全な長尺発泡材の穿孔装置を提供することができる。
【０００８】
請求項４乃至６記載の発明によれば、穿孔ガイド機構部における直線状凹部によりガイドされつつその他端側から駆動源側の一端に向けて押し込まれる長寸法の長尺発泡材、すなわち全長３０ｃｍ乃至２ｍの範囲で、長尺の直方体状、長尺の端面台形状又は長尺の丸棒状のいずれかの形状を有する発泡ポリスチレンからなる長尺発泡材に対して、その一端側から他端まで長手方向に貫通する長孔を効率よく穿設することができ、この場合に刃体部ぶれ防止ガイド体により穿孔刃体の刃体部のぶれが防止されるので、良好な真直穿孔状態の長孔を得ることができる長尺発泡材の穿孔方法を提供することができる。また、抑え機構部の抑えローラにより長尺発泡材の外周上端を抑えて位置規制を行う工程を付加することにより、長孔の真直度をより高めることができる長尺発泡材の穿孔方法を提供することができる。更に、穿孔屑の吸引工程を備える構成とすることにより、長尺発泡材に対する穿孔により生じる穿孔屑の除去も万全な長尺発泡材の穿孔方法を提供することができる。
【０００９】
請求項７、８記載の発明によれば、請求項７の穿孔装置、８記載の穿孔方法の夫々をもって、長尺の直方体状、長尺の端面台形状又は長尺の丸棒状のいずれかの形状を有する長尺発泡材の一端から他端まで長手方向に貫通する長孔を穿設したものであるから、この発泡ポリスチレンからなる長尺発泡材が例えば下記用途として用いられた際、当該長孔内に、有機溶剤を注入又は流し込むことにより、この発泡ポリスチレンからなる長尺発泡材自体が何らの環境汚染問題を起こすことなく、その全部を円滑に溶解することになり、当該溶解した長尺発泡材の範囲だけ空間が形成されることになる。このことから、前記用途例ような場合において、天上部分のコンクリートと壁面部分のコンクリートとの間に溶解した長尺発泡材の範囲だけ所望の空隙を形成し得る長尺発泡材、例えば、全長３０ｃｍ乃至２ｍの範囲の発泡ポリスチレンからなる長尺発泡材を提供することができる。
【００１０】
なお、請求項７、８記載の発明に係る長尺の直方体状、長尺の端面台形状又は長尺の丸棒状のいずれかの形状を有する長尺発泡材は、例えば、壁、天上を有するコンクリート構造物を構築する建築現場等においては、天上部分のコンクリートと壁面部分のコンクリートとの接合箇所に、予め全長数十ｃｍから数ｍに至るような本発明に係る長尺発泡材を介在させた状態でコンクリートを打設し、その後、当該長尺発泡材全体を有機溶剤（長尺発泡材の長孔内に当該溶剤を注入・流し込むことによって長尺発泡材、すなわち発泡ポリスチレンが溶解可能な溶剤であれば、その種類を問わない）により円滑、かつ、その全部を溶かして空隙を形成し、更に、この空隙部分に個別にコンクリートを流し込んで天上、壁面間を強固に接合連結するような場合に用いられるものである。従って、このような構築方法を採用する場合、長尺発泡材を溶かすためにこの長尺発泡材にその一端から他端まで長手方向に貫通する有機溶剤流し込み用の長孔を穿設しておくことが必要になる。
【発明を実施するための最良の形態】
【００１１】
本発明は、全長数十ｃｍから数ｍに至るような長寸法の長尺発泡材の場合でも、その一端から他端まで長手方向に貫通する良好な長孔を穿孔し得る長尺発泡材を実現でき、更にその穿孔装置、穿孔方法を実現するという目的を有するものである。
【００１２】
この目的を達成するために、本発明の穿孔装置は、平坦な上面を有する装置本体と、この装置本体上に配置した被穿孔材を直線状凹部に沿って直線状にガイドする長尺の穿孔ガイド機構部と、一端側の軸支用基部が前記装置本体の一端側において軸支部により回転可能に軸支されるとともに、前記軸支用基部から突設した先端部に孔開刃を有する刃体部を前記穿孔ガイド機構部の直線状凹部に臨ませた長尺の穿孔刃体と、この穿孔刃体を回転駆動する駆動源と、前記穿孔ガイド機構部の直線状凹部に沿ってスライド可能に配置されるとともに、前記穿孔刃体の刃体部を回転可能に貫通させた刃体部ぶれ防止ガイド体と、前記長尺の穿孔ガイド機構部を跨ぐ状態で、かつ、前記直線状凹部上方に回転可能に配置した抑えローラを有し、この抑えローラにより被穿孔材である長尺発泡材の外周上端を抑えて位置規制を行う抑え機構部と、前記長尺発泡材の一端側に吸引口を臨ませた穿孔屑吸引装置と、を有し、前記長尺の穿孔ガイド機構部における直線状凹部によりガイドされつつその一端側から駆動源側の一端側に向けて押し込まれ、前記刃体部ぶれ防止ガイド体を直線状凹部に沿って移動する被穿孔材である長尺の直方体状、長尺の端面台形状又は長尺の丸棒状のいずれかの形状を有する長尺発泡材に対して、前記刃体部ぶれ防止ガイド体により穿孔刃体の刃体部のぶれを防止し、かつ、前記抑え機構部により長尺発泡材の位置規制を行いつつ前記穿孔刃体の回転によりその一端側から他端まで長手方向に貫通する長孔を穿設するとともに穿孔屑吸引装置により穿孔屑を吸引除去する構成により実現した。
【実施例】
【００１３】
以下に、本発明の実施例に係る長尺発泡材、長尺発泡材の穿孔装置及び穿孔方法について図面を参照して詳細に説明する。
本発明の実施例に係る長尺発泡材１００の穿孔装置１は、図１に示すように、平坦な上面を有し四隅部に脚体３を備えた全長数ｍの長尺の装置本体２と、この装置本体２上に配置した被穿孔材である例えば全長３０ｃｍ乃至２ｍの範囲から選定される例えば丸棒状の発泡ポリスチレンからなる長尺発泡材１００を直線状凹部１１に沿って直線状にガイドする長尺の穿孔ガイド機構部１０と、一端側の軸支用基部２１が前記装置本体２の一端側においてこの装置本体２に固定した一対構成で分離配置の軸支部４、４により回転可能に軸支されるとともに、前記軸支用基部２１から装置本体２の他端側に向けて突設した先端部に孔開刃（ドリル刃）２２を有する刃体部２３を前記穿孔ガイド機構部１０の直線状凹部１１内にその長さ方向に沿って臨ませた長尺の穿孔刃体２０と、この穿孔刃体２０における軸支用基部２１の端部に連結され穿孔刃体２０を回転駆動する駆動源３０と、前記穿孔ガイド機構部１０の直線状凹部１１に沿ってスライド可能に配置されるとともに、前記穿孔刃体２０の刃体部２３を回転可能に貫通させた刃体部ぶれ防止ガイド体４０と、前記長尺の穿孔ガイド機構部１０を跨ぐ状態で、かつ、前記直線状凹部１１の上方に回転可能に配置した抑えローラ５１を有し、この抑えローラ５１により前記長尺発泡材１００の外周上端を抑え位置規制を行う抑え機構部５０と、前記長尺発泡材１００の一端側に吸引パイプ６１の一端側の吸引口６２を移動可能に臨ませるとともに、吸引パイプ６１の他端側に連通した吸引ブロワ６３を備え、長尺発泡材１００の穿孔に伴って生じる穿孔屑を吸引除去する穿孔屑吸引装置６０と、前記装置本体２における前記軸支部４、４の側方位置に配置したスイッチ箱７０と、を有している。
【００１４】
本実施例に係る長尺発泡材１００の穿孔装置１について更に詳述する。
前記装置本体２上に設けた長尺の穿孔ガイド機構部１０は、図２に示すように、前記装置本体２上において、その長手方向に配置した長尺のガイド基体１２を具備し、このガイド基体１２に対して長手方向に沿った直線状凹部１１を形成する丸棒状又は円筒状の第１ガイド体１３、丸棒状又は円筒状の第２ガイド体１４を所定の間隔を隔て平行配置している。
【００１５】
また、ガイド基体１２の他端側（前記軸支部４と反対側）は、平坦に形成され長尺発泡材１００用の載置領域として利用するようにしている。
【００１６】
前記穿孔刃体２０の軸支用基部２１は、図３、図４に示すように、装置本体２に固定した一対構成で分離配置の軸支部４、４により回転可能に軸支されているとともに、軸支用基部２１の端部は、前記駆動源３０を構成する多段（例えば３段）プーリ構成の従動プーリ３３の中心に連結されている。
【００１７】
また、装置本体２の一端側の前記従動プーリ３３の下方位置には、駆動源３０を構成する固定配置の駆動モータ３１とこの駆動モータ３１の原動軸に取り付けた多段（例えば３段）プーリ構成の原動プーリ３２とが配置され、原動プーリ３２、従動プーリ３３間に無端ベルト３４が張設されて、駆動モータ３１による回転力を原動プーリ３２、無端ベルト３４、従動プーリ３３を経て前記軸支用基部２１の端部に伝達し、これにより、前記穿孔刃体２０を回転駆動するように構成している。
【００１８】
また、前記原動プーリ３２、従動プーリ３３に対する無端ベルト３４の張設位置を変更することで、前記穿孔刃体２０の回転速度を変更し得るように構成している。
【００１９】
前記スイッチ箱７０は、図５に示すように、電源ケーブル７３を介して商用電源（例えばＡＣ１００Ｖ又はＡＣ２００Ｖ）に接続されるとともに、オンスイッチ７１、オフスイッチ７２を具備し、これらのスイッチ操作により駆動モータ３１、吸引ブロワ６３に対する所定の駆動電圧の供給又は供給停止を行うようにしている。
【００２０】
なお、駆動モータ３１、吸引ブロワ６３に対して所定の駆動電圧を供給する電源部の構成は特に限定されるものではなく、専用の電源装置を用いる等の態様を採用することもできる。
【００２１】
前記刃体部ぶれ防止ガイド体４０は、図６に示すように、その下側両側部に前記穿孔ガイド機構部１０を構成する第１ガイド体１３、第２ガイド体１４の外周に各々摺接する弧状部４１ａ、４１ｂを有し、直線状凹部１１に沿ってスライド可能であるとともに、前記穿孔刃体２０の刃体部２３を回転可能に貫通させる前記刃体部２３の外径より僅かに大きい孔径の貫通孔４２を具備し、前記長尺発泡材１００の一端により押されて直線状凹部１１に沿ってスライドし、このとき、前記刃体部２３のぶれを防止するような構成になっている。
【００２２】
前記抑え機構部５０は、図７に示すように、前記ガイド基体１２の両側部から対向配置に立設した一対の支持片５２ａ、５２ｂにより、抑えローラ５１を取り付けたローラ軸５３を前記直線状凹部１１と直交する配置で回転可能に支持している。
【００２３】
前記抑えローラ５１は、例えば前記直線状凹部１１の真上に臨ませた小径抑えローラ５１ａと、この小径抑えローラ５１ａに連設けた大径抑えローラ５１ｂとにより構成している。そして、例えば前記小径抑えローラ５１ａにより、前記直線状凹部１１内に配置され前記軸支部４側に向けて押し込まれて移動しつつ刃体部２３により一端側から穿孔される前記長尺発泡材１００の外周上端を抑えその位置規制（上方への跳ね上がり規制）を行うようになっている。
【００２４】
次に、上述した本実施例に係る本実施例に係る長尺発泡材１００の穿孔装置１を用いた長尺発泡材１００に対する穿孔方法について、図８、図９を参照して説明する
【００２５】
まず、装置本体２上の穿孔ガイド機構部１０に設けた直線状凹部１１の他端側に発泡ポリスチレンからなる長尺発泡材１００の一端を臨ませる。この長尺発泡材１００の長さ寸法は、使用目的に応じて全長３０ｃｍ乃至２ｍの範囲から選定するものである。
次に、スイッチ箱７０のオンスイッチ７１をオン操作し、前記駆動モータ３１を始動させ穿孔刃体２０を回転駆動するとともに、前記吸引ブロワ６３も始動させ吸引パイプ６１の吸引口６２を前記長尺発泡材１００の一端近傍に配置する。
【００２６】
この状態で、長尺発泡材１００を長尺の穿孔ガイド機構部１０における直線状凹部１１によりガイドさせつつその一端側から装置本体２における駆動源３０側の一端側に向けて手動で押し込み、穿孔刃体２０の孔開刃２２の回転により長尺発泡材１００の一端側から他端まで長手方向に貫通する長孔１０１を穿設する。長孔１０１が穿孔された長尺発泡材１００を図９に示す。
【００２７】
上述した長尺発泡材１００に対する穿孔時において、刃体部２３が貫通している刃体部ぶれ防止ガイド体４０は、長尺発泡材１００の押し込みに応じて駆動源３０側の一端側に向けて押されつつ刃体部２３のぶれを防止する。
【００２８】
また、上述した長尺発泡材１００に対する穿孔時において、前記抑え機構部５０の小径抑えローラ５１ａは、長尺発泡材の外周上端を抑えて位置規制（上方への跳ね上がり規制）を行う。
【００２９】
更に、上述した長尺発泡材１００に対する穿孔時において、前記穿孔屑吸引装置６０における吸引パイプ６１の吸引口６２を長尺発泡材１００の移動とともに図８に矢印を伏して示すように移動させることで、長尺発泡材１００の穿孔に伴って生じる穿孔屑を吸引除去する。
【００３０】
以上説明した本実施例に係る長尺発泡材１００の穿孔装置１及びこの穿孔装置１による穿孔方法によれば、長寸法の長尺発泡材１００、すなわち、全長３０ｃｍ乃至２ｍの範囲の発泡ポリスチレンからなる長尺発泡材１００に対して、その一端側から他端まで長手方向に貫通する長孔１０１を効率よく穿設することができ、この場合に刃体部ぶれ防止ガイド体４０により穿孔刃体２０の刃体部２３のぶれが防止されるので、良好な真直穿孔状態の長孔１０１が得られる。
【００３１】
また、抑え機構部５０の小径抑えローラ５１ａにより長尺発泡材１００の外周上端を抑えて位置規制を行うので、長孔の真直度をより高めることができ、更に、穿孔屑吸引装置を備えることから、長尺発泡材１００に対する穿孔により生じる穿孔屑の除去も万全となる。
【００３２】
前記長尺発泡材１００としては、上述した丸棒状のものの他、図１０に示すような長尺の直方体状の長尺発泡材１１０、図１１に示すような長尺の端面台形状の長尺発泡材１１１等、種々の形状の長尺発泡材に対しても、本実施例に係る穿孔装置１、穿孔方法は前記穿孔ガイド機構部１０のガイド体の形状、刃体部ぶれ防止ガイド体４０の形状を変更することで適用可能である。
【００３３】
図１２は、長孔１０１を穿孔した発泡ポリスチレンからなる長尺発泡材１００の前記した使用例を示すものであり、例えば、壁、天上を有するコンクリート構造物を構築する建築現場等において、天上部分のコンクリート１２１と壁面部分のコンクリート１２２との接合箇所に、予め長孔１０１を穿孔した前記長尺発泡材１００を介在させてコンクリートを打設し、コンクリートが固化した後長孔１０１内に有機溶剤を流し込んで、環境汚染問題を起こすことなく円滑に長尺発泡材１００の全部を溶かして空隙１２３を形成し、更にこの空隙１２３の部分に個別にコンクリート１２４を流し込んで天上、壁面間を簡略な工程で、かつ、強固に接合連結するものである。
【００３４】
この場合に、有機溶剤に溶け易い発泡ポリスチレンからなる長尺発泡材１００を用いることから、有害成分が残存しない安全なコンクリート構造物を得ることができる。
なお、本発明は、前記軸支部４、前記抑え機構部５０を高さ調整可能として種々の外径寸法の長尺発泡材１００の穿孔に対応したり、前記抑え機構部５０を間隔を隔て複数箇所に配置し、より確実に長尺発泡材１００の位置規制を行い穿孔精度を高めたりという応用も可能である。
【産業上の利用可能性】
【００３５】
本発明は、上述した発泡ポリスチレンからなる長尺発泡材の穿孔に適用する他、例えば長尺の木材や発泡ポリスチレンからなる長尺発泡材以外の合成樹脂材からなる長尺物の穿孔に広範に適用可能である。
【図面の簡単な説明】
【００３６】
【図１】本発明の実施例に係る長尺発泡材の穿孔装置の全体構成を示す概略斜視図である。
【図２】本実施例に係る穿孔装置の穿孔ガイド機構部、抑え機構部、刃体部ぶれ防止ガイド体を示す部分斜視図である。
【図３】本実施例に係る穿孔装置の軸支部を示す拡大斜視図である。
【図４】本実施例に係る穿孔装置の駆動源を示す拡大斜視図である。
【図５】本実施例に係る穿孔装置の電源構成を示すブロック図である。
【図６】本実施例に係る穿孔装置の刃体部、刃体部ぶれ防止ガイド体、直線状凹部を示す拡大斜視図である。
【図７】本実施例に係る穿孔装置の抑え機構部を示す拡大斜視図である。
【図８】本実施例に係る長尺発泡材の穿孔状態を示す動作説明図である。
【図９】本実施例に係る長尺発泡材及び長孔を穿孔した長尺発泡材を示す斜視図である。
【図１０】本実施例に係る長尺発泡材及び長孔を穿孔した長尺発泡材の他例を示す斜視図である。
【図１１】本実施例に係る長尺発泡材及び長孔を穿孔した長尺発泡材の更に別の例を示す斜視図である。
【図１２】本実施例に係る長孔を穿孔した長尺発泡材の使用例を示す概略説明図である。
【符号の説明】
【００３７】
１    長尺発泡材の穿孔装置
２    装置本体
３    脚体
４    軸支部
１０    穿孔ガイド機構部
１１    直線状凹部
１２    ガイド基体
１３    第１ガイド体
１４    第２ガイド体
２０    穿孔刃体
２１    軸支用基部
２２    孔開刃
２３    刃体部
３０    駆動源
３１    駆動モータ
３２    原動プーリ
３３    従動プーリ
３４    無端ベルト
４０    刃体部ぶれ防止ガイド体
４１ａ  弧状部
４１ｂ  弧状部
４２    貫通孔
５０    抑え機構部
５１    抑えローラ
５１ａ  小径抑えローラ
５１ｂ  大径抑えローラ
５２ａ  支持片
５２ｂ  支持片
５３    ローラ軸
６０    穿孔屑吸引装置
６１    吸引パイプ
６２    吸引口
６３    吸引ブロワ
７０    スイッチ箱
７１    オンスイッチ
７２    オフスイッチ
７３    電源ケーブル
１００    長尺発泡材
１０１    長孔
１１０    長尺発泡材
１１１    長尺発泡材
１２１    コンクリート
１２２    コンクリート
１２３    空隙
１２４    コンクリート
【図１】
0005543054.tif 000002
【図２】
0005543054.tif 000003
【図３】
0005543054.tif 000004
【図４】
0005543054.tif 000005
【図５】
0005543054.tif 000006
【図６】
0005543054.tif 000007
【図７】
0005543054.tif 000008
【図８】
0005543054.tif 000009
【図９】
0005543054.tif 000010
【図１０】
0005543054.tif 000011
【図１１】
0005543054.tif 000012
【図１２】
0005543054.tif 000013